(57)【要約】【課題】無理やりに開蓋しているという感じがなく、しかも、蓋体を開けすぎて内部の化粧料がこぼれ落ちたり、化粧料にひび等が入ったりすることがなく、しかも、耐久性に優れた化粧料容器を提供する。【解決手段】一端部に係合凸部１３ａが形成された容器本体１と、一端部から容器本体１の係合凸部１３ａに着脱自在に係合する係合爪２ａが突設され上記容器本体１の他端部にヒンジジ連結された蓋体２と、上記容器本体１の一端部に進退自在に配設され上記係合を解除しうるフックピース３とを備え、上記フックピース３の、上記容器本体１の一端部に対向する側面に傾斜面２８ｃを形成し、上記フックピース３を容器本体１の一端側に進入させることにより、係合爪２ａの下端部を上記傾斜面２８ｃに当接させながらこの傾斜面２８ｃに沿わせて上方に移動させ上記係合を解除するように構成している。【選択図】図１０
2007151992.tif 000002
【特許請求の範囲】
【請求項１】
それ自体の一端部に係合部が形成された容器本体と、それ自体の一端部から上記容器本体の係合部に着脱自在に係合する被係合部が突設され上記容器本体の他端部にヒンジ連結された蓋体と、上記容器本体の一端部に進退自在に配設され上記係合を解除しうる操作片とを備え、この操作片の、上記容器本体の一端部に対向する側面に、上記容器本体の一端部側に向かって下り傾斜状に傾斜する傾斜面を形成し、上記操作片を容器本体の一端側に進入させることにより、上記被係合部の下端部を上記傾斜面に当接させながらこの傾斜面に沿わせて上方に移動させ上記係合を解除するように構成したことを特徴とする化粧料容器。
【請求項２】
上記操作片を、操作部と、この操作部と容器本体の一端部との間に配設される可動部とで構成し、上記操作部の、上記容器本体の一端部に対向する側面に上記傾斜面を形成した請求項１記載の化粧料容器。
【請求項３】
上記傾斜面が、上側円弧面と、この上側円弧面になだらかに接続する下側テーパー面とからなっている請求項２記載の化粧料容器。
【請求項４】
上記操作部から左右一対の可動部が容器本体の一端部側に向かって一体的に突設されている請求項２または３記載の化粧料容器。
【発明の詳細な説明】
【技術分野】
【０００１】
本発明は、化粧料容器に関するものである。
【背景技術】
【０００２】
従来から、ファンデーション等の化粧料を収容して携帯する化粧料容器として、図１３に示すような化粧料容器が提案されている。この化粧料容器は、上面に化粧皿収容凹部５１ａが形成された容器本体５１と、この容器本体５１の上面を蓋する蓋体５２と、上記容器本体５１の前端部に形成された凹部５３に進退自在に取り付けられたフックピース５４とを備えており、閉蓋状態では、上記凹部５３の奥面に突設された係合凸部５３ａに、上記蓋体５２の前端部から垂設した係合爪５２ａが着脱自在に係合している。また、上記係合爪５２ａには、その前面に、開蓋時に上記フックピース５４の上板５４ａの後面に摺動自在に当接する傾斜面５２ｂが形成されている。そして、開蓋時に、上記フックピース５４を奥側に押し込むと、このフックピース５４の上板５４ａの後面が係合爪５２ａの傾斜面５２ｂに当接して上記上板５４ａの後面で係合爪５２ａを押し上げ、これにより、上記係合を外すようにしている。
【発明の開示】
【発明が解決しようとする課題】
【０００３】
しかしながら、上記化粧料容器では、上記フックピース５４を奥側に押し込み、これにより、上記フックピース５４の上板５４ａの後面で蓋体５２の係合爪５２ａを無理やりに上側に引っ張り上げるようにして上記係合を外しているため、上記押し込み作業を大きな力で無理やりに（すなわち、乱暴に）開蓋しているという感じがある。しかも、上記係合が外れてもすぐに押し込み作業を止めることができないため、蓋体５２を開けすぎてしまい、そのショックで内部の化粧料がこぼれ落ちたり、化粧料にひび等が入ったりする。しかも、上記係合爪５２ａの前面に傾斜面５２ｂを形成しているため、係合爪５２ａの厚みが大きくなって撓みにくく、開蓋時に係合爪５２ａや係合凸部５３ａがこじれて早期に損傷，破損等し、耐久性に劣る。
【０００４】
本発明は、このような事情に鑑みなされたもので、しっくりと開蓋することができ、しかも、蓋体を開けすぎて内部の化粧料がこぼれ落ちたり、化粧料にひび等が入ったりすることがなく、耐久性に優れた化粧料容器の提供をその目的とする。
【課題を解決するための手段】
【０００５】
上記の目的を達成するため、本発明の化粧料容器は、それ自体の一端部に係合部が形成された容器本体と、それ自体の一端部から上記容器本体の係合部に着脱自在に係合する被係合部が突設され上記容器本体の他端部にヒンジ連結された蓋体と、上記容器本体の一端部に進退自在に配設され上記係合を解除しうる操作片とを備え、この操作片の、上記容器本体の一端部に対向する側面に、上記容器本体の一端部側に向かって下り傾斜状に傾斜する傾斜面を形成し、上記操作片を容器本体の一端側に進入させることにより、上記被係合部の下端部を上記傾斜面に当接させながらこの傾斜面に沿わせて上方に移動させ上記係合を解除するように構成したという構成をとる。
【発明の効果】
【０００６】
すなわち、本発明の化粧料容器は、それ自体の一端部に係合部が形成された容器本体と、それ自体の一端部から上記容器本体の係合部に着脱自在に係合する被係合部が突設され上記容器本体の他端部にヒンジジ連結された蓋体と、上記容器本体の一端部に進退自在に配設され上記係合を解除しうる操作片とを備えている。そして、上記操作片の、上記容器本体の一端部に対向する側面に、上記容器本体の一端部側に向かって下り傾斜状に傾斜する傾斜面を形成し、上記操作片を容器本体の一端側に進入させることにより、上記被係合部の下端部を上記傾斜面に当接させながらこの傾斜面に沿わせて上方に移動させ上記係合を解除するように構成している。このように、本発明の化粧料容器では、上記蓋体の被係合部の下端部を上記操作片の傾斜面に当接させながらこの傾斜面に沿わせて上方に移動させているため、上記操作片の傾斜面で上記被係合部の下端部を持ち上げる（掬い上げる）ようにして上方に移動させることができ、上記被係合部を上側から無理やりに引っ張り上げているという感じがなくなり、無理なくしっとりと持ち上げて開蓋することができる。しかも、無理なくしっとりと開蓋することができるため、蓋体を開けすぎてしまうことがなく、内部の化粧料がこぼれ落ちたり、化粧料にひび等が入ったりすることがない。しかも、上記蓋体の被係合部に傾斜面を形成する必要がないため、上記被係合部の厚みを薄くすることができて撓みやすくなり、開蓋時に上記係合部や被係合部がこじれて損傷，破損等することがなくなり、耐久性優れる。
【０００７】
また、上記操作片を、操作部と、この操作部と容器本体の一端部との間に配設される可動部とで構成し、上記操作部の、上記容器本体の一端部に対向する側面に上記傾斜面を形成すると、上記操作片の操作部をスムーズに進退させることができる。なお、本発明において、「可動部」とは、容器本体の一端側に撓みうる可撓部や、容器本体の一端側に弾性変形しうる弾性部や、容器本体の一端側に進退自在に移動しうる移動手段等を意味している。
【０００８】
また、上記傾斜面が、上側円弧面と、この上側円弧面になだらかに接続する下側テーパー面とからなっていると、上記操作片を強い力で容器本体の一端側に押圧してしまい、上記係合を外したのちも、上記操作片を容器本体の一端側に進入させることがあっても、その勢いを可動部（特に、可撓部や弾性部）で弱まらせることができるとともに、上記操作片の操作部の上側円弧面が上記被係合部に軽く当接して蓋体の回動を止めるか抑制することができ、蓋体を開けすぎてしまうということがない。
【０００９】
また、上記操作部から左右一対の可動部が容器本体の一端部側に向かって一体的に突設されていると、上記操作部の中央部から外れた部分を手指等で押圧した場合にも、上記両可動部（特に、可撓部や弾性部）により操作部の傾く方向が修正され、操作部に傾きが生じない。
【発明を実施するための最良の形態】
【００１０】
つぎに、本発明の実施の形態を図面にもとづいて詳しく説明する。ただし、これに限定されるわけではない。
【００１１】
図１は本発明の化粧料容器の一実施の形態を示している。図において、１はプラスチック製の容器本体であり、その上面に、化粧皿（図示せず）を収容する化粧皿収容凹部１ａと、パフ等の化粧具（図示せず）を収容する化粧具収容凹部１ｂとが左右に形成されている。また、上記容器本体１は、その後壁（後端部）１１が、その左右両側壁および前壁を残した状態で上下貫通状に切欠き形成されており、この切欠き形成部１１ａに、後述する蓋体２の後端部から垂設された連結部１７が回動自在に配設されている。
【００１２】
また、上記容器本体１には、図２に示すように、その前壁（前端部）１２の前面に、上面およびこれに続く前面が開放された取付凹部１３が形成されており、この取付凹部１３の奥面の左右方向中央部に、上記蓋体２の係合爪２ａ（図１参照）に着脱自在に係合する係合凸部（係合部）１３ａが突設されている。また、上記取付凹部１３の奥面には、上記係合凸部１３ａを挟むようにして、左右一対の係合片１４が相対向状に突設されており、これら両係合片１４の前端部内側面から、後述するフックピース３の両棒状係合部２９（図３参照）に係合する先端爪部１４ａが相対向状に突設されている。
【００１３】
また、上記取付凹部１３の奥面には、上記両係合片１４を挟むようにして、上記フックピース３の２組のガイドリブ３０（図３参照）に遊嵌状に係合する断面コ字状の（断面コ字状の開口部は下側を向いている）左右一対のガイド部１５が突設されており、上記操作片３が前後方向に進退するときのガイド作用をする。
【００１４】
２は上記容器本体１の上面を蓋するプラスチック製の蓋体であり、その後端部に垂設された連結部１７が、上記容器本体１の切欠き形成部１１ａに配設された状態で、上記後壁１１の左右両側壁に連結ピン４（図１参照）を介してヒンジ連結されている。また、上記蓋体２には、その前端部から、上記容器本体１の係合凸部１３ａに着脱自在に係合する係合爪２ａ（被係合部）が垂設されている。図１において、５は上記蓋体２の裏面に接着，固定された鏡である。
【００１５】
３はプラスチック製のフックピース（操作片）であり、開蓋時に奥側に押圧操作することにより上記（係合凸部１３ａと係合爪２ａとの）係合を解除する作用をする。このフックピース３は、図３〜図７に示すように、上記容器本体１の取付凹部１３に進退自在に取り付けられ奥面開放状の略箱形状に形成された操作部２６と、この操作部２６から後方に向かって突設された左右一対の線状ばね片（可動部）２７とからなっている。
【００１６】
上記操作部２６は、前側板２１と上下両側板２２，２３と左右両側板２４，２５とからなり、上記両上下両側板２２，２３にわたって左右一対の押し上げ板２８が架設されている。これら両押し上げ板２８はそれぞれ、その後面が、略１／６円弧状に形成された上側円弧面２８ａと、この上側円弧面２８ａになだらかに接続する下側テーパー面２８ｂとからなる傾斜面２８ｃに形成されている（図７参照）。また、上記下側テーパー面２８ｂは奥側に向かって下り傾斜状に一直線状に傾斜しており、その傾斜角度は上記上側円弧面２８ａの傾斜角度より小さく形成されている。そして、上記下側テーパー面２８ｂでは、これに当接させながら上記蓋体２の係合爪２ａを押し上げることにより、上記係合を外すことができ、この係合を外した際に、上記上側円弧面２８ａに沿って（この上側円弧面２８ａに上記係合爪２ａが当接しない状態で）上記蓋体２の係合爪２ａが回動して開蓋できるようにしている。
【００１７】
また、上記フックピース３には、上記容器本体１の両係合片１４の先端爪部１４ａに対応する部分に、上記両先端爪部１４ａに係合する左右一対の棒状係合部２９が、上下両側板２２，２３にわたって架設されている。また、上記フックピース３には、その上側板２２の下面の、上記容器本体１の両ガイド部１５の両側部に対応する部分にそれぞれ、フックピース３の進退時に上記両ガイド部１５の左右両側部を移動する左右一対の板状ガイドリブ３０が垂設されている。また、上記上側板２２の中央部後方には、上記蓋体２の係合爪２ａを上下方向に挿通しうる切り欠き凹部３１が形成されている。
【００１８】
上記両線状ばね片２７は、上記下側板２３の後面左右両側部に切欠き形成された左右一対の切欠き凹部２３ａから突設されており、これら両切欠き凹部２３ａの後面の内側寄り部分から後方に向かって突設された根元部分２７ａと、これら両根元部分２７ａの先端から上記両切欠き凹部２３ａの後面に沿って外側に（左右に）延びる中間部分２７ｂと、これら両中間部分２７ｂの先端から後方に向かって外側に（左右に）傾斜状に延びる先端部分２７ｃとからなる略クランク形状になっている。そして、上記両先端部分２７ｃが上記下側板２３の後端面から少し突出しており、その先端は、尖鋭に形成されている。
【００１９】
上記構成において、上記フックピース３が容器本体１の取付凹部１３に進退自在に取り付けられている状態では、図８および図９に示すように、上記両線状ばね片２７の先端部分２７ｃの先端面が、上記容器本体１の取付凹部１３の奥面に当接している。この当接により、上記両線状ばね片２７が手前側（すなわち、前側）に少し撓み、両線状ばね片２７に弾圧付勢力が働いて上記フックピース３が手前側に常時付勢された状態になっている。また、上記フックピース３の両棒状係合部２９が、上記容器本体１の両係合片１４の先端爪部１４ａに係合しており、この係合により、上記フックピース３の手前側への抜け出しが防止されている。また、上記フックピース３の進退操作時に容器本体１のガイド部１５の両側部をフックピース３の板状ガイドリブ３０が移動するようになっており、上記フックピース３に対する押圧方向が斜めであっても、上記フックピース３を適正にガイドして後方向に進出させることができ、開蓋を確実に行なうことができるようにしている。
【００２０】
そして、開蓋する際には、上記フックピース３を押圧して奥側に進出させる。これにより、上記蓋体２の係合爪２ａがフックピース３の両押し上げ板２８の下側テーパー面２８ｂに当接しながらしっくりと押し上げられて、係合凸部１３ａと係合爪２ａとの係合が外される（図１０参照）。このとき、上記フックピース３の中央部を押圧しなくても、上記両線状ばね片２７により上記フックピース３の撓む方向が修正され、フックピース３に傾きが生じない。
【００２１】
このように、上記実施の形態によれば、上記蓋体２の係合爪２ａの下端部をフックピース３の両押し上げ板２８の傾斜面２８ｃに当接させながらこの傾斜面２８ｃに沿わせて上方に移動させているため、上記フックピース３の傾斜面２８ｃで上記係合爪２ａの下端部を持ち上げることができ、上記係合爪２ａを上側から無理やりに引っ張り上げているという感じがなくなり、無理なくしっとりと持ち上げて開蓋することができる。しかも、無理なくしっとりと開蓋することができるため、上記蓋体２を開けすぎてしまうことがなく、開蓋時の衝撃がなくて、内部の化粧料がこぼれ落ちたり、化粧料にひび等が入ったりすることがない。しかも、上記蓋体２の係合爪２ａに傾斜面を形成する必要がないため、上記係合爪２ａの厚みを薄くすることができて撓みやすくなる。したがって、開蓋時に上記係合爪２ａや係合凸部１３ａがこじれて損傷，破損等することがなく、耐久性優れる。しかも、上記フックピース３を強い力で奥側に押圧してしまい、上記係合を外したのちも、上記フックピース３を奥側に進入させることがあっても、その勢いを両線状ばね片２７で弱めることができるとともに、上記フックピース３の上側円弧面２８ａが上記係合爪２ａの前面に軽く当接して上記蓋体２の回動を止めるもしくは抑制することができ、上記蓋体２を開けすぎてしまうということがない。しかも、上記フックピース３を手前側に付勢するための両線状ばね片２７の根元部２７ａ同士間に距離をおいているため、上記フックピース３を中央部から外れた位置で押圧したとしても、その修正作用により、フックピース３に傾きが生じない。
【００２２】
図１１および図１２は本発明の化粧料容器の他の実施の形態を示している。この実施の形態では、上記化粧料容器は、容器本体３５と蓋体３６と中枠３７と化粧皿収容体３８とで構成されている。上記容器本体３５は、その上面に、パフ等の化粧具３９を収容する化粧具収容凹部３５ａが形成されており、この化粧具収容凹部３５ａの底面外周部に、上記中枠３７の枠状周側壁４２の環状溝部４２ａに着脱自在に係合する環状凸部３５ｂが突設されている。図において、４０は上記容器本体３５の上端面外周部に形成された環状溝部であり、上記中枠３７の鍔部４３の環状凸部４３ａに着脱自在に係合している。
【００２３】
上記蓋体３６には、その前端部から、上記化粧皿収容体３８の鍔部４８上に載置される前側突出板部３６ａが突設されており、この前側突出板部３６ａの後端部から、上記容器本体３５の係合凸部１３ａに着脱自在に係合する係合爪２ａが垂設されている。また、上記蓋体３６には、その外周部に、上記蓋体３６の上面を覆うカバー４１が外嵌状に固定されている。
【００２４】
上記中枠３７は、上記容器本体３５に内嵌状に固定される枠状周側壁４２と、この枠状周側壁４２の外周部から突設された鍔部４３と、上記枠状周側壁４２の前壁から突設される前側平板部４４とからなり、この前側平板部４４には、その前面から、上記蓋体３６の係合爪２ａが挿通される切欠き部４４ａが切欠き形成されている。また、上記枠状周側壁４２には、その下端部の内周部に、上記容器本体３５の環状凸部３５ｂに着脱自在に係合する環状溝部４２ａが形成されており、上記鍔部４３には、その外周部に、上記容器本体３５の環状溝部４０に着脱自在に係合する環状凸部４３ａが突設されている。
【００２５】
上記化粧皿収容体３８は、それ自体の上面に、化粧皿４５を収容する化粧皿収容凹部４６ａが形成された皿部４６と、上記化粧皿４５の上面を蓋する蓋部４７とからなり、上記皿部４６の一端部（この実施の形態では、左端部）に蓋部４７がヒンジ軸４７ａを介して回動自在に固定されている。
【００２６】
上記皿部４６には、その外周部から、上記中枠３７の鍔部４３上に載置される鍔部４８が突設されており、その前側部分には、上記蓋体３２の係合爪２ａが挿通される窓部４８ａが穿設されているとともに、その後側部分には、上記蓋体３２の連結部１７が挿通される窓部４８ｂが穿設されている。図において、４５ａは上記化粧皿４５に充填された化粧料である。それ以外の部分は上記実施の形態と同様であり、同様の部分には同じ符号を付している。この実施の形態でも、上記実施の形態と同様の作用・効果を奏する。
【００２７】
なお、上記両実施の形態では、上記フックピース３に左右一対の押し上げ板２８を設けているが、これに限定するものではなく、１つもしくは３つ以上の押し上げ板２８を設けてもよい。また、上記両実施の形態では、上記操作部２６の傾斜面２８ｃが、上側円弧面２８ａと下側テーパー面２８ｂとからなっているが、下側テーパー面２８ｂだけにしてもよい。また、上記両実施の形態では、上記フックピース３に左右一対の線状ばね片２７を突設しているが、中央に１つの線状ばね片２７だけを突設してもよい。また、上記線状ばね片２７を上記操作部２６とは別体に作製し、これを上記操作部２６と容器本体１，３５の取付凹部１３の奥面との間に配設してもよい。
【図面の簡単な説明】
【００２８】
【図１】本発明の化粧料容器の一実施の形態を示す斜視図である。
【図２】容器本体の要部の斜視図である。
【図３】フックピースの斜視図である。
【図４】上記フックピースの底面図である。
【図５】上記フックピースの背面図である。
【図６】上記フックピースの平面図である。
【図７】上記フックピースの要部の断面図である。
【図８】上記フックピースの要部の説明図である。
【図９】上記フックピースの作用を示す断面図である。
【図１０】上記フックピースの作用を示す断面図である。
【図１１】本発明の化粧料容器の他の実施の形態を示す断面図である。
【図１２】上記化粧料容器の要部の断面図である。
【図１３】従来例を示す要部の断面図である。
【符号の説明】
【００２９】
１  容器本体
２  蓋体
２ａ  係合爪
３  フックピース
１３ａ  係合凸部
２８ｃ  傾斜面
【図１】
2007151992.tif 000003
【図２】
2007151992.tif 000004
【図３】
2007151992.tif 000005
【図４】
2007151992.tif 000006
【図５】
2007151992.tif 000007
【図６】
2007151992.tif 000008
【図７】
2007151992.tif 000009
【図８】
2007151992.tif 000010
【図９】
2007151992.tif 000011
【図１０】
2007151992.tif 000012
【図１１】
2007151992.tif 000013
【図１２】
2007151992.tif 000014
【図１３】
2007151992.tif 000015